(57)【要約】【課題】ブーツをヒンジ式直角曲げコネクタのストップリングに装着したままの状態で９０度までの向きの調整がワンタッチで短時間に行えるようにする。【解決手段】光ケーブルＰの光ファイバ芯線ａを挿入して固定すると共に、後端にフランジ２２が圧入保持されるフェルール２と、フランジ２２後端に当接しフェルール２を前方に常時付勢するスプリング４の後端を支持するストップリング５と、これら各部材を覆うプラグフレーム３と、光ケーブルＰのケブラＰ１を前記ストップリング５に固定するカシメ座６と、光ケーブルＰのシースＰ２を前記カシメ座６に固定するカシメリング７と、前記ストップリング５に装着するブーツ８とを有し、前記ブーツ８を、ストップリング５に対して９０度まで対称方向に回転可能とした屈曲可動手段１０を備える。【選択図】図２
2008116601.tif 000002
【特許請求の範囲】
【請求項１】
光ケーブルの光ファイバ芯線が挿入されて固定されると共に、後端にフランジが圧入保持されるフェルールと、フランジ後端に当接しフェルールを前方に付勢するスプリングの後端を支持するストップリングと、これら各部材を覆うプラグフレームと、光ケーブルのケブラを前記ストップリングに固定するカシメ座と、光ケーブルのシースを前記カシメ座に固定するカシメリングと、前記ストップリングに装着されるブーツとを備えたヒンジ式直角曲げコネクタであって、前記ブーツをストップリングに対して９０度対称方向に回転可能とした屈曲可動手段を備えたことを特徴とするヒンジ式直角曲げコネクタ。
【請求項２】
屈曲可動手段は、ストップリングに固定されたヒンジベースと、ブーツに固定された可動ヒンジとを備え、該可動ヒンジは前記ヒンジベースに対し９０度対称方向に回転可能となるように枢着されて成る請求項１記載のヒンジ式直角曲げコネクタ。
【請求項３】
屈曲可動手段は、内挿されている光ケーブルの直角方向への屈曲を許容させるようヒンジベース内部に曲げスペースを備えている請求項１または２記載のヒンジ式直角曲げコネクタ。
【請求項４】
屈曲可動手段は、可動ヒンジのヒンジベースに対する９０度回転位置で当該可動ヒンジを係止させるよう可動ヒンジおよびヒンジベースに凹凸状のストッパー部を備えた請求項１乃至３のいずれかに記載のヒンジ式直角曲げコネクタ。
【請求項５】
前記ストッパー部は、ヒンジベースの前端に設けられた左右一対のヒンジアームのヒンジ孔に、可動ヒンジの後端に設けられた左右一対のヒンジアームのヒンジピンが枢着されて回動自在とし、ヒンジピンに対して上下対称位置に設けた凸部と、該凸部を係合させるようヒンジ孔に対して上下対称位置に設けた凹部もしくは孔部とによって形成されている請求項４記載のヒンジ式直角曲げコネクタ。
【請求項６】
ストップリングに対するヒンジベースの固定は、ストップリング外周の円周に沿って凹設された嵌合凹部に、ヒンジベースの開口端における内周に沿って突設された嵌合突部を嵌合させると共に、ヒンジベースの開口端に設けられたスリットを、嵌合凹部の同一周面上に突設された係止凸部に係止させるものとしている請求項１乃至５のいずれかに記載のヒンジ式直角曲げコネクタ。
【発明の詳細な説明】
【技術分野】
【０００１】
本発明は、各種光通信機器を接続するために室内壁面に設置された光コンセントアダプタに接続するヒンジ式直角曲げコネクタに関する。
【背景技術】
【０００２】
近年、ＦＴＴＨ（ｆｉｂｅｒ  ｔｏ  ｔｈｅ  ｈｏｍｅ）が進み、部屋の中に光コンセントを設置するようになってきている。そこで従来では、特許文献１に開示されているように、室内の壁面に設けたアウトレットボックスに複数の光コンセントを取り付け、当該光コンセント内に保持された接続アダプタに、光ファイバコード等の外部光コネクタプラグを壁面に対し垂直に挿入して接続するアウトレット部品なる技術が提案されている。
【０００３】
しかしながら、従来の外部光コネクタプラグは、壁面に対し垂直に挿入して接続するため、当該外部光コネクタプラグ自体が壁面から垂直に突出した状態となる。このため、外部光コネクタプラグが邪魔になり、周辺機器がこれにぶつかって破損する等の事故が予想される。
【０００４】
そこで、ブーツを直角に屈曲変形させて形成し、この先端を光コネクタプラグのストップリングの末端に装着固定して成る所謂曲げコネクタを使用する等の何等かの対策を採ることが必要となってきている。このとき、光コネクタプラグのツマミ片側には、接続アダプタのキー孔に挿入可能なガイド突起が形成されている。
【特許文献１】特開２００５−１０６９３７号公報
【発明の開示】
【発明が解決しようとする課題】
【０００５】
ただ、従来においては、曲げコネクタプラグのストップリングの末端にブーツを一度装着すると、当該ブーツの取付方向を変更するに際し、当該ブーツをストップリングからいったん引き抜き、その後、所定の向きとなるようにブーツをストップリングに再度装着しなければならない。このため、作業に手間と時間が掛かるものとなっていた。
【０００６】
また、従来の曲げコネクタは、ツマミ片側に接続アダプタのキー孔に挿入可能なガイド突起が形成されているため、ブーツをストップリングに装着したまま曲げコネクタプラグごと向きを変えることは不可能となるという問題点を有していた。
【０００７】
そこで、本発明は、叙上のような従来存した諸事情に鑑み創出されたもので、ブーツをヒンジ式直角曲げコネクタのストップリングに装着したままの状態で向きの調整がワンタッチで短時間に行えるものとしたヒンジ式直角曲げコネクタを提供することを目的とする。
【課題を解決するための手段】
【０００８】
上述した課題を解決するため、本発明にあっては、光ケーブルの光ファイバ芯線が挿入されて固定されると共に、後端にフランジが圧入保持されるフェルールと、フランジ後端に当接しフェルールを前方に付勢するスプリングの後端を支持するストップリングと、これら各部材を覆うプラグフレームと、光ケーブルのケブラを前記ストップリングに固定するカシメ座と、光ケーブルのシースを前記カシメ座に固定するカシメリングと、前記ストップリングに装着されるブーツとを備えたヒンジ式直角曲げコネクタであって、前記ブーツをストップリングに対して９０度対称方向に回転可能とした屈曲可動手段を備えたことを特徴とする。
【０００９】
屈曲可動手段は、ストップリングに固定されたヒンジベースと、ブーツに固定された可動ヒンジとを備え、該可動ヒンジは前記ヒンジベースに対し９０度対称方向に回転可能となるように枢着されて成る。
【００１０】
屈曲可動手段は、内挿されている光ケーブルの直角方向への屈曲を許容させるようヒンジベース内部に曲げスペースを備えている。
【００１１】
屈曲可動手段は、可動ヒンジのヒンジベースに対する９０度回転位置で当該可動ヒンジを係止させるよう可動ヒンジおよびヒンジベースに凹凸状のストッパー部を備えている。
【００１２】
前記ストッパー部は、ヒンジベースの前端に設けられた左右一対のヒンジアームのヒンジ孔に、可動ヒンジの後端に設けられた左右一対のヒンジアームのヒンジピンが枢着されて回動自在とし、ヒンジピンに対して上下対称位置に設けた凸部と、該凸部を係合させるようヒンジ孔に対して上下対称位置に設けた凹部もしくは孔部とによって形成されている。
【００１３】
ストップリングに対するヒンジベースの固定は、ストップリング外周の円周に沿って凹設された嵌合凹部に、ヒンジベースの開口端における内周に沿って突設された嵌合突部を嵌合させると共に、ヒンジベースの開口端に設けられたスリットを、嵌合凹部の同一周面上に突設された係止凸部に係止させるものとしている。
【発明の効果】
【００１４】
本発明によれば、ブーツをストップリングに装着したままの状態で向きの調整がワンタッチで容易且つ短時間に行える。すなわち、前記ブーツを、ストップリングに対して９０度対称方向に回転可能とした屈曲可動手段を備えたので、ブーツの向きの変更毎に、ヒンジ式直角曲げコネクタのストップリングからブーツをわざわざ取り外す必要が無くなり、したがって、ブーツの向きの調整がワンタッチで容易且つ短時間に行えるものとなる。
【００１５】
屈曲可動手段は、ストップリングに固定されたヒンジベースと、ブーツに固定された可動ヒンジとを備え、該可動ヒンジは前記ヒンジベースに対し９０度対称方向に回転可能となるように枢着されて成るので、簡単な構成によってブーツの向きの調整が確実且つスムーズに行える。
【００１６】
屈曲可動手段は、内挿されている光ケーブルの直角方向への屈曲を許容させるようヒンジベース内部に曲げスペースを形成してあるので、ストップリングおよびヒンジベースに対するブーツの回転に際し、ヒンジベース内面で光ケーブルを損傷させることが無い。
【００１７】
屈曲可動手段は、可動ヒンジのヒンジベースに対する９０度回転位置で当該可動ヒンジを係止させるよう可動ヒンジおよびヒンジベースに凹凸状のストッパー部を備えたので、可動ヒンジのヒンジベースに対する過度な回転を未然に防止することができ、これによって光ケーブルを損傷させることが無い。
【００１８】
前記ストッパー部は、ヒンジベースの前端に設けられた左右一対のヒンジアームのヒンジ孔に、可動ヒンジの後端に設けられた左右一対のヒンジアームのヒンジピンが枢着されて回動自在とし、ヒンジピンに対して上下対称位置に設けた凸部と、該凸部を係合させるようヒンジ孔に対して上下対称位置に設けた凹部もしくは孔部とによって形成されているので、簡単な構成によって屈曲されたブーツの向きの確保が容易となる。
【００１９】
ストップリングに対するヒンジベースの固定は、ストップリング外周の円周に沿って凹設された嵌合凹部に、ヒンジベースの開口端における内周に沿って突設された嵌合突部を嵌合させると共に、ヒンジベースの開口端に設けられたスリットを、嵌合凹部の同一周面上に突設された係止凸部に係止させるものとしたので、ストップリングにヒンジベースを嵌合した際には、当該嵌合突部によってヒンジベース自体に廻り止め機能を付与させることができる。
【発明を実施するための最良の形態】
【００２０】
以下、図面を参照して本発明を実施するための最良の一形態を説明する。
図において示される符号１は、各種光通信機器を接続するために室内の壁面に設置されたアウトレットボックスＭ内に設けられた内装された光コンセントアダプタＱに接続するヒンジ式直角曲げコネクタであり、該ヒンジ式直角曲げコネクタ１は、図１、図２に示すように、光ファイバ芯線ａが挿入されて固定されると共に、後端にフランジ２２が圧入保持されるフェルール２と、フランジ２２後端に当接しフェルール２を前方に付勢するスプリング４の後端を支持するストップリング５と、これら各部材を覆うプラグフレーム３と、光ケーブルＰの抗張力線であるケブラＰ１を前記ストップリング５に固定するカシメ座６と、光ケーブルＰのケブラＰ１外側を覆う合成樹脂外皮であるシースＰ２を前記カシメ座６に固定するカシメリング７と、前記ストップリング５に、後述する屈曲可動手段１０を介して装着されるブーツ８と、プラグフレーム３およびストップリング５の外側に被せられるツマミ９とから概ね構成されている。
【００２１】
フェルール２は、光ファイバ芯線ａの先端が挿入後、接着剤等で接着されることにより光ファイバ芯線ａを固定するものである。また、フェルール２は、プラグフレーム３に覆われることによりその保護がなされている。
【００２２】
スプリング４はコイルばねからなり、フランジ２２およびストップリング５の間に挟まれるように配置されることにより、その前端がフランジ２２後端に当接され、後端がストップリング５に支持されている。このようにストップリング５に後端が支持されることにより、スプリング４はフランジ２２と共にフェルール２を前方に付勢するように作用する。
【００２３】
プラグフレーム３には、フェルール２、フランジ２２およびスプリング４と共に、ストップリング５の前方部分が挿入されている。この場合、ストップリング５の前方部分における外面上方には凸部５ａが形成されており、この凸部５ａが、プラグフレーム３に対するストップリング５挿入時のガイドの役割を果たす。
【００２４】
ストップリング５の後方部分には、屈曲可動手段１０を介してブーツ８が取付られ、当該ストップリング５に対してブーツ８が９０度まで対称方向に回転可能となるようにしている。すなわち、この屈曲可動手段１０によって、ブーツ８をストップリング５に沿った水平位置から上下いずれかの方向に９０度まで屈曲回転できるようにする。
【００２５】
具体的には、屈曲可動手段１０は、図２および図３に示すように、ストップリング５に固定された円筒状のヒンジベース１１に対し、ブーツ８に固定された可動ヒンジ８ａを９０度まで対称方向に回転可能となるように枢着されることで構成される。
【００２６】
すなわち、図３に示すように、円筒状のヒンジベース１１は、その開口端における内周に沿って、相対峙する一対のスリット１１ｃを介して円弧状の一対の嵌合突部１３ａ、１３ｂが突設され、ストップリング５の後方外周の円周に沿って凹設された円弧状の嵌合凹部１２ａに前記嵌合突部１３ａ、１３ｂが嵌合すると共に、前記スリット１１ｃを嵌合凹部１２ａの同一円周方向の所定部位に突設された係止凸部１２ｂに係止させる。これによってヒンジベース１１はストップリング５に対して所要の角度で固定保持される。
【００２７】
また、円筒状のヒンジベース１１の他方の開口端には、一対のヒンジアーム１１ａ、１１ｂが相対向させた状態で延設され、これらヒンジアーム１１ａ、１１ｂそれぞれにはヒンジ孔１３ｃが穿設されている。一方、ブーツ８の開口端側には、図１および図２（ａ）に示すように、円筒状の可動ヒンジ８ａの後端に設けられた左右一対のヒンジアーム８ｂが嵌め込まれ、該ヒンジアーム８ｂ先端の外面側に一体に突設したヒンジピン８ｃを、前記ヒンジアーム１１ａ、１１ｂそれぞれのヒンジ孔１３ｃに挿着させている。したがって、ヒンジベース１１に対して可動ヒンジ８ａは９０度まで対称方向に回転可能となる。
【００２８】
図２（ａ）に示すように、この屈曲可動手段１０のヒンジベース１１および可動ヒンジ８ａ内には、内挿されている光ケーブルの直角方向への屈曲を許容させるのに充分な広さの曲げスペースＳを形成してある。
【００２９】
また、図１、図２（ｂ）および図２（ｃ）に示すように、屈曲可動手段１０には、可動ヒンジ８ａのヒンジベース１１に対する９０度回転位置で当該可動ヒンジ８ａを係止させるためのストッパー部を備えている。
【００３０】
具体的には、このストッパー部は、ヒンジアーム１１ａ、１１ｂのヒンジ孔１３ｃを介して上下両縁端に凹設した凹部１４ａと、該凹部１４ａに対向して可動ヒンジ８ａの両縁端に突設した凸部１４ｂとから構成される。
【００３１】
これによって、図２（ｂ）に示すように、ブーツ８を上側９０度方向に回転させると、ヒンジアーム１１ｂ上側の凹部１４ａに、可動ヒンジ８ａ上側の凸部１４ｂが係合し、一方、図２（ｃ）に示すように、ブーツ８を下側９０度方向に回転させると、ヒンジアーム１１ｂ下側の凹部１４ａに、可動ヒンジ８ａ下側の凸部１４ｂが係合する。したがって、ヒンジベース１１に対する可動ヒンジ８ａの過度な回転が防止される。
【００３２】
また、前記ストッパー部の他の構成としては、図５、図６に示されるように、可動ヒンジ８ａ後端に形成されたコ字枠状のヒンジアーム８ｂを、ヒンジベース１１後端に形成された若干幅広なコ字枠状のヒンジアーム１１ａ、１１ｂ相互間に挟持された状態で、ヒンジアーム８ｂのヒンジピン８ｃがヒンジアーム１１ａ、１１ｂのヒンジ孔１３ｃに回動自在に枢着される。そして、ヒンジピン８ｃに対して上下対称位置で若干後方寄りに突設されたダボ形の凸部１４ｂを、これら凸部１４ｂに対応すべくヒンジアーム１１ａ、１１ｂのヒンジ孔１３ｃに対する上下対称位置に穿設された孔部１６ａに着脱自在に嵌合させるようにする。
【００３３】
これによって、図６（ａ）乃至図６（ｃ）に示すように、凸部１４ｂが孔部１６ａに嵌合されていない直線連結の状態から、図７（ａ）乃至図７（ｃ）に示すように、ブーツ８を下側に９０度まで回転させると、ヒンジアーム１１ａ、１１ｂ下側の孔部１６ａに、可動ヒンジ８ａ下側の凸部１４ｂが嵌合して固定される。また、ブーツ８を上側に９０度まで回転させると、ヒンジアーム１１ａ、１１ｂ上側の孔部１６ａに、可動ヒンジ８ａ上側の凸部１４ｂが嵌合して固定される。これによって、ヒンジベース１１に対する可動ヒンジ８ａの過度な回転が防止されると共に、ヒンジ部の強度が向上する。尚、このストッパー部の構成として、さらに他の機構を採用しても良い。
【００３４】
ストップリング５の後部には、共に金属から成るカシメ座６およびカシメリング７が配置されている。これらのカシメ座６およびカシメリング７は、ストップリング５に対して光ケーブルＰのケブラＰ１とシースＰ２とをそれぞれ保持するものである。
【００３５】
すなわち、カシメ座６は、大径の前側筒部６ａと小径の後側筒部６ｂとが略中央の段差部６ｃを介して連設されて成り、前側筒部６ａは、光ケーブルＰの切断されたシースＰ２内側のケブラＰ１と共にストップリング５の後部外周に嵌着される。また、後側筒部６ｂには、シースＰ２の切断端部を被せた状態にしてから、カシメリング７を外側からかしめることにより当該シースＰ２は固定される。
【００３６】
また、プラグフレーム３は、丸型構造に形成されると共に、当該プラグフレーム３の上下対称位置には、ツマミ９に形成された上下対称位置のキー孔に対応して一対のガイド部を形成してある。このガイド部は、プラグフレーム３にツマミ９を装着する際に、当該ツマミ９に形成された上下対称位置のキー孔に対し１方向で嵌挿されるよう当該ガイド部は互いに異なった幅員となるように形成されている。
【００３７】
さらに、ツマミ９の片側には、光コンセントアダプタＱに対して一方向からの接続を可能とするようにガイドさせるために、接続アダプタのキー孔に挿入可能なガイド突起９ａが形成されている。
【００３８】
図４はヒンジ式直角曲げコネクタの使用の一例を示すもので、Ｍは光分岐ボックスＢに可撓性パイプ１５を介して連結されたアウトレットボックス、ＱはアウトレットボックスＭの正面板に取り付けられた光コンセントアダプタである。
【００３９】
光コンセントアダプタＱは後端において光分岐ボックスＢに光ケーブルＰを介して接続される。一方、前端においてパソコンＲに光ケーブルＰを介して接続されたヒンジ式直角曲げコネクタ１が着脱自在に接続される。
【００４０】
次に、以上のように構成された最良の形態についての組立・使用の一例について説明する。先ず、ブーツ８の開口端に嵌め込まれた可動ヒンジ８ａに設けられた左右一対のヒンジアーム８ｂのヒンジピン８ｃを、ヒンジベース１１のヒンジアーム１１ａ、１１ｂにおけるヒンジ孔１３ｃに挿着することでヒンジベース１１にブーツ８が取り付けられ、このブーツ８を光ケーブルＰの切断端部から予め挿入しておく。
【００４１】
そして、光ケーブルＰの切断端部からシースＰ２およびケブラＰ１を剥き出し状態にしてから、カシメ座６の後側筒部６ｂに、シースＰ２の切断端部を被せておき、カシメリング７を外側からかしめ固定する。
【００４２】
そして、カシメ座６の前側筒部６ａを、シースＰ２の切断端部から拡げられたケブラＰ１と共にストップリング５の後部外周に嵌着する。
【００４３】
しかる後、前記ブーツ８を光ケーブルＰの切断端部側に移動させ、ストップリング５の嵌合凹部１２ａに、ヒンジベース１１の嵌合突部１３ａ、１３ｂを自らの撓曲によって嵌合させる。そして、ヒンジベース１１の開口端に設けられたスリット１１ｃをストップリング５の嵌合凹部１２ａの同一周面上に設けられた係止凸部１２ｂに係止させる（図３参照）。
【００４４】
また、光ファイバ芯線ａの先端はフェルール２に挿入され、接着剤等で接着されることにより光ファイバ芯線ａが固定される。フェルール２はその後端にフランジ２２が圧入保持されている。
【００４５】
そして、フェルール２のフランジ２２後端からスプリング４が挿入され、さらにプラグフレーム３およびストップリング５が所定の位置にそれぞれ挿入配置される。このとき、ストップリング５の上方に設けられた凸部５ａがプラグフレーム３に対する挿入用ガイドとなり、一方、ストップリング５の下方に設けられたフック部３ａがプラグフレーム３の係止孔３ｂに係止されることで抜け止めの役割を果たす。
【００４６】
このとき、スプリング４は、フェルール２後端のフランジ２２およびストップリング５の間に挟まれるように配置され、フェルール２を前方に常時付勢させるように作用する。
【００４７】
最後に、ツマミ９がプラグフレーム３およびストップリング５の外側に被せられる。このとき、ツマミ９に形成された上下対称位置のキー孔に対し、プラグフレーム３が１方向で嵌挿される。
【００４８】
ヒンジ式直角曲げコネクタ１の使用に際しては、各種光通信機器を接続するために室内の壁面に設置されたアウトレットボックスＭに内装された光コンセントアダプタＱに当該ヒンジ式直角曲げコネクタ１を接続する。
【００４９】
例えば、パソコンＲからのヒンジ式直角曲げコネクタ１を光コンセントアダプタＱの相手側端子に接続させるに際し、図４（ａ）に示すように、前記パソコンＲが光コンセントアダプタＱの下方側に配置されている場合には、屈曲可動手段１０のヒンジベース１１に対して可動ヒンジ８ａを下方向、すなわちブーツ８および光ケーブルＰが下向きに延長されるように回転させる。このとき、図２（ｃ）に示すように、ヒンジアーム１１ｂ下側の凹部１４ａに、可動ヒンジ８ａ下側の凸部１４ｂが係合する。
【００５０】
他方、図４（ｂ）に示すように、前記パソコンＲが光コンセントアダプタＱの上方側に配置されている場合には、屈曲可動手段１０のヒンジベース１１に対して可動ヒンジ８ａを上方向、すなわちブーツ８および光ケーブルＰが上向きに延長されるように回転させる。このとき、図２（ｃ）に示すように、ヒンジアーム１１ｂ上側の凹部１４ａに、可動ヒンジ８ａ上側の凸部１４ｂが係合する。このようにしてブーツ８は上下いずれかの方向に９０度まで屈曲回転されることとなり、光コンセントアダプタＱが壁面の下側もしくは上側、あるいは天井等の如何なる場所に設置されていても、光コンセントアダプタＱに接続された外部のヒンジ式直角曲げコネクタ１自体が周辺機器の障害とはならないのである。
【図面の簡単な説明】
【００５１】
【図１】本発明を実施するための最良の形態におけるヒンジ式直角曲げコネクタの一例を示す平面図である。
【図２】同じくヒンジ式直角曲げコネクタの内部構造を示すもので、（ａ）は上側から見た断面図、（ｂ）は屈曲可動手段のヒンジベースに対して可動ヒンジを上方向に９０度回転した状態を側面から見た断面図、（ｃ）は屈曲可動手段のヒンジベースに対して可動ヒンジを下方向に９０度回転した状態を側面から見た断面図である。
【図３】同じくストップリングとヒンジベースとの分解斜視図である。
【図４】同じくヒンジ式直角曲げコネクタの使用状態の一例を示すもので、（ａ）はパソコンが光コンセントアダプタの下方側に配置されている場合での使用状態を示す一部切欠断面図、（ｂ）はパソコンが光コンセントアダプタの上方側に配置されている場合での使用状態を示す一部切欠断面図である。
【図５】屈曲可動手段におけるストッパー部の他の構成を示すストップリングとヒンジベースとの分解斜視図である。
【図６】同じく屈曲可動手段の直線連結状態を示すもので、（ａ）は平面図、（ｂ）は側面図、（ｃ）は（ｂ）のＡ−Ａ断面図である。
【図７】同じく屈曲可動手段の９０度屈曲連結状態を示すもので、（ａ）は平面図、（ｂ）は側面図、（ｃ）は（ｂ）のＡ−Ａ断面図である。
【符号の説明】
【００５２】
Ｐ              光ケーブル
Ｐ１            ケブラ
Ｐ２            シース
Ｑ              光コンセントアダプタ
Ｒ              パソコン
Ｓ              曲げスペース
Ｍ              アウトレットボックス
Ｂ              光分岐ボックス
ａ              光ファイバ芯線
１              ヒンジ式直角曲げコネクタ
２              フェルール
３              プラグフレーム
３ａ            フック部
３ｂ            係止孔
４              スプリング
５              ストップリング
５ａ            凸部
６              カシメ座
６ａ            前側筒部
６ｂ            後側筒部
６ｃ            段差部
７              カシメリング
８              ブーツ
８ａ            可動ヒンジ
８ｂ            ヒンジアーム
８ｃ            ヒンジピン
９              ツマミ
９ａ            ガイド突起
１０            屈曲可動手段
１１            ヒンジベース
１１ａ、１１ｂ  ヒンジアーム
１１ｃ          スリット
１２ａ          嵌合凹部
１２ｂ          係止凸部
１３ａ、１３ｂ  嵌合突部
１３ｃ          ヒンジ孔
１４ａ          凹部（ストッパー部）
１４ｂ          凸部（ストッパー部）
１５            可撓性パイプ
１６ａ          孔部（ストッパー部）
【図１】
2008116601.tif 000003
【図２】
2008116601.tif 000004
【図３】
2008116601.tif 000005
【図４】
2008116601.tif 000006
【図５】
2008116601.tif 000007
【図６】
2008116601.tif 000008
【図７】
2008116601.tif 000009